(57)【要約】【課題】画像の高精細化に伴いディスプレイの解像度解像度が上がると、それに伴って実装するソースＣＯＦの数も増大する。表示パネルに実装された複数のソースＣＯＦの幅と同じだけ、表示制御基板にもＣＯＦを実装する幅が必要ということになり、表示制御基板が必要以上に幅広になり、軽量化が困難となる。【解決手段】表示パネルの１辺に沿ってソースＣＯＦが複数設けられ、その１辺の端部に設けられているソースＣＯＦにおいて、その１辺の端部に近い側の辺は斜めにカットされて、ソースＣＯＦの入力端子が設けられている側の幅は出力端子が設けられている側の幅よりも狭く、その１辺の端部に近い側の辺は、表示制御基板の１辺の端部に近い側の端辺よりも１辺の端部に近い。【選択図】図１
2014215464.tif 000002
【特許請求の範囲】
【請求項１】
入力端子と出力端子と、前記入力端子と前記出力端子と接続する駆動回路と、を形成したテープ部材と、
前記出力端子を介して前記テープ部材と接続する矩形の表示パネルと、
前記入力端子を介して前記テープ部材と接続する表示制御基板と、
を有し、
前記テープ部材は前記表示パネルの少なくとも１辺に沿って複数設けられており、
前記１辺の端部に設けられている第１のテープ部材において、前記１辺の端部に近い側の辺は斜めにカットされて、前記入力端子が設けられている側の幅は前記出力端子が設けられている側の幅よりも狭く、
前記１辺の端部に近い側の辺は、前記表示制御基板における前記１辺の端部に近い側の端辺よりも前記１辺の端部に近いことを特徴とする表示装置。
【請求項２】
前記テープ部材において、斜めにカットした前記１辺の端部に近い側の辺の反対側にある対辺についても、前記１辺の端部から遠ざかる方向に斜めにカットした形状とすることを特徴とする請求項１に記載の表示装置。
【請求項３】
前記第１のテープ部材を、前記表示パネルの１辺の両端に設けることを特徴とする請求項１または２に記載の表示装置。
【請求項４】
前記表示制御基板に接続する前記テープ部材が3つ以上あり、
前記表示パネルの１辺の両端以外の前記テープ部材について、
前記第１のテープ部材と形状が同じテープ部材を使用する
ことを特徴とする請求項３に記載の表示装置。
【請求項５】
入力端子と出力端子と、前記入力端子と前記出力端子と接続する駆動回路と、を形成したテープ部材と、
前記出力端子を介して前記テープ部材と接続する矩形の表示パネルと、
前記入力端子を介して前記テープ部材と接続する表示制御基板と、
を有し、
前記テープ部材は前記表示パネルの少なくとも１辺に沿って複数設けられており、
前記１辺の両端のうち少なくとも一方に設けられている第１のテープ部材において、
前記表示パネルの前記一辺が延在する方向とは異なる向きの辺であって、前記表示パネル中央側に近い側の辺に前記入力端子を設けることを特徴とする表示装置。
【請求項６】
前記第１のテープ部材は、前記１辺の両端に形成されていることを特徴とする請求項５に記載の表示装置。
【請求項７】
前記テープ部材はＴＣＰまたはＣＯＦであることを特徴とする請求項１ないし６のいずれかに記載の表示装置。
【発明の詳細な説明】
【技術分野】
【０００１】
本発明は表示装置に関するもので、より詳細には液晶表示装置等の薄型表示装置に用いられるものである。
【背景技術】
【０００２】
近年、表示装置はさまざまな機器において、観察者への情報表示手段として使用されている。現在は、従来の主流であったブラウン管に代わって、液晶、プラズマ、エレクトロルミネッセンス（EL：Electro Luminescence）、FED（Field Emission Display）等を利用した新しい薄型表示装置が登場している。特に、液晶表示装置は、小型から大型の機種まで幅広いサイズで製造でき、現在において代表的な薄型表示装置となっている。
【０００３】
図８に、表示パネルとして例えば液晶表示装置を構成する液晶パネルを示す。液晶パネル１０１は図示しないが公知の形態のようにアレイ基板と対向基板とを互いに貼り合わせて、その間隙に液晶を封入した構造となっている。
【０００４】
次に、表示装置における表示部に相当する表示領域１０２について説明する。表示領域１０２においては公知の形態と同様に、複数の画素がマトリクス状に配置（図示せず）され、さらに各画素を制御するためのスイッチング素子や、制御信号や信号入力信号を供給するための配線が設けられている。
【０００５】
この表示領域１０２外にある額縁領域１０３には、表示領域１０２内から延在される配線の端部に形成される実装端子（図示せず）が配設されており、表示に必要な電気信号は駆動回路から実装端子を介して入力される。
【０００６】
駆動回路の実装方法としては、ドライバＩＣ１０４が絶縁性フィルム上に形成されたＴＣＰ（Tape Carrier Package）またはＣＯＦ（Chip On Film）を接続する方法がある（たとえば特許文献1を参照）。以下ではＣＯＦで記述を行うが、ＴＣＰでも同様である。
【０００７】
薄型表示装置を動作させるために、表示パネル１０１上の端子と駆動回路１０４とを接続させる実装が行われる。さらに、ＣＯＦ１０６を介して駆動回路が実装された表示パネル１０１と、ドライバICを制御する回路や電源などの他の回路が実装された表示制御基板１０５とを接続する周辺回路実装が行われる。一般的にソースＣＯＦ１０６と表示制御基板１０５とが接続される。
【先行技術文献】
【特許文献】
【０００８】
【特許文献１】特開２００５−３１３３２号公報
【発明の概要】
【発明が解決しようとする課題】
【０００９】
実装プロセスや部材管理が容易なことから、表示パネルの１辺には図８に示すような長方形のＣＯＦを必要数だけ実装しているのが一般的である。ここで、近年、画像の高精細化に伴いディスプレイの解像度はますます向上してきているが、解像度が上がるとそれに伴って実装するソースＣＯＦの数も増大することとなる。すなわち、図８に示すような構造において解像度が向上すると、表示パネルに実装された複数のソースＣＯＦの幅と同じだけ、表示制御基板にもＣＯＦを実装する幅が必要ということになり、表示制御基板が必要以上に幅広になるという課題があった。
【課題を解決するための手段】
【００１０】
本発明は、入力端子と出力端子と、入力端子と出力端子と接続する駆動回路と、を形成したテープ部材と、出力端子を介してテープ部材と接続する矩形の表示パネルと、入力端子を介してテープ部材と接続する表示制御基板と、を有し、テープ部材は表示パネルの少なくとも１辺に沿って複数設けられており、その１辺の端部に設けられている第１のテープ部材において、その１辺の端部に近い側の辺は斜めにカットされて、入力端子が設けられている側の幅は出力端子が設けられている側の幅よりも狭く、１辺の端部に近い側の辺は、表示制御基板の１辺の端部に近い側の端辺よりも１辺の端部に近いことを特徴とする表示装置に関するものである。
【発明の効果】
【００１１】
表示制御基板のサイズを小さくすることができ、表示装置の軽量化とコストダウンにつながる。
【図面の簡単な説明】
【００１２】
【図１】実施の形態1に係る表示装置の要部の一構成例を示した図
【図２】実施の形態1に係るソースＣＯＦを示した図
【図３】実施の形態２に係る表示装置の要部の一構成例を示した図
【図４】実施の形態３に係る表示装置の要部の一構成例を示した図
【図５】実施の形態４に係る表示装置の要部の一構成例を示した図
【図６】実施の形態５に係る表示装置の要部の一構成例を示した図
【図７】実施の形態６に係る表示装置の要部の一構成例を示した図
【図８】従来の表示装置の要部の一構成例を示した図
【発明を実施するための形態】
【００１３】
実施の形態１．
図１を用いて、実施の形態１について説明する。図１において、表示パネル１は例えば液晶表示装置を構成する液晶パネルであり、液晶表示装置の表示画面に対応する表示領域２と、表示領域２の周辺に配置される額縁領域３とを有している。
【００１４】
表示領域２においては公知の形態と同様に、複数の画素がマトリクス状に配置（図示せず）され、さらに各画素を制御するためのスイッチング素子や、制御信号や信号入力信号を供給するための配線が設けられている。一方、額縁領域３には、表示領域２内から延在される配線の端部に形成される実装端子（図示せず）が配設されており、表示に必要な電気信号は駆動回路から実装端子を介して入力される。
【００１５】
すなわち、表示パネル１は実装端子と電気的に接続する駆動回路であるドライバＩＣ４を介して、表示制御基板５と接続されている。ここで、ドライバＩＣ４はテープ部材の上に形成されることによりソースＣＯＦ６を構成するため、構造上、表示パネル１はソースＣＯＦ６を介して表示制御基板５と接続されているとも言える。
【００１６】
ソースＣＯＦ６は表示パネル１の少なくとも１辺に沿って複数形成されており、ソースＣＯＦ６上のドライバＩＣ４は表示領域２内に複数形成されるソース配線と接続している（図示せず）。本実施の形態１においては、複数実装したソースＣＯＦ６のうち、表示パネルの１辺に沿った方向での両端のうち少なくとも一方に配置された第１のテープ部材であるソースＣＯＦ６について、当該１辺の端部１ａに近い側の辺６ａを斜めにカットした形状１０に加工する。ここで、斜めにカットした形状１０とは、表示パネル１に接続される側は幅広く、表示制御基板５に接続される側は幅が狭くなるような形状である。
【００１７】
斜めにカットした形状１０について理解を助けるために、かかるソースＣＯＦ６の形状について図２を用いて説明する。図２において、ソースＣＯＦ６は、表示パネル１に実装する出力端子１１と、表示制御基板５に実装する入力端子１２とを有しており、互いに対向する対辺の関係に存在する。ここで、これら対辺の方向は、ソースＣＯＦ６が複数実装された液晶パネル１の１辺が延在する方向と平行な方向である。
【００１８】
出力端子１１と入力端子１２の具体的な端子本数は、たとえば、出力端子７０２本／入力端子１１１本や、出力端子１０２２本／入力端子１１５本といった具合に、圧倒的に出力端子数の方が多くなっている。このことから、表示制御基板５に接続される入力端子１２が設けられている側のソースＣＯＦ６の幅を、出力端子１１が設けられている側（表示パネル１に接続される側）の幅よりも狭くすることが容易であることが理解できる。
【００１９】
図１に示すように表示パネル１の１辺に沿って複数設けられているソースＣＯＦ６のうち、その１辺の端に設けられている第１のテープ部材であるソースＣＯＦ６においては１辺の端部１ａに近い側の辺６ａは斜めにカットした形状１０に加工されている。言い換えれば、斜めにカットすることにより、表示制御基板５に接続される入力端子１２が設けられている側のソースＣＯＦ６の幅を、出力端子１１が設けられている側の幅よりも狭くしている。
【００２０】
これによって、１辺の端部に設けられているソースＣＯＦ６において当該１辺の端部１ａに近い側の辺６ａは、表示制御基板５において当該１辺の端部１ａに近い側の端辺５ａよりも当該１辺の端部１ａに近いことになる。具体的には、図１で示すようにｄ１で示した長さだけ表示パネル１の端部１ａに近いことがわかる。これは、表示制御基板５の幅を少なくともｄ１の長さ分だけ短くすることができることを意味する。
【００２１】
上記のようなソースＣＯＦ６を、表示パネル１の両端の少なくとも一方に使用することにより、表示制御基板５のサイズを小さくすることができ、表示装置の軽量化とコストダウンにつながる。
【００２２】
また、出力端子１１がある側のソースＣＯＦ６の幅が広いと、表示パネル１上の端子から延在し各画素を駆動するための配線のレイアウトを、狭額縁の領域内でできることになり、ひいてはパネル外形をも小さくできる。これは表示装置の軽量化とコストダウンにつながる。
【００２３】
なお、本実施の形態１においては、使用するソースＣＯＦの種類が1種類増えるだけで、このこと自体は実装プロセスや部材管理上は困難なことではない。
【００２４】
また、表示制御基板５が接続されていない側（本実施の形態においてはゲート側）はＣＯＦ実装でもＣＯＧ実装でもどちらでも良い。
【００２５】
実施の形態２．
実施の形態１では、表示パネルの１辺に沿って複数形成されたＣＯＦのうち表示パネルの端側に位置するＣＯＦについて、表示パネル１辺の端部に近い側の辺のみ斜めにカットした。本実施の形態２においては、表示パネル１辺の端部に近い側の辺だけでなく反対側の対辺も同じ方向の斜め形状とすることを特徴としている。図３に、本実施の形態２に係る表示装置を示す。
【００２６】
図３において、表示パネル１と表示制御基板５とがソースＣＯＦ６を介して接続している点は実施の形態１と同様である。また、表示パネル１の１辺に沿って複数設けられているソースＣＯＦ６のうち、その１辺の端部にあって表示パネル１の端部１ａに近い側の辺６ａに対して、斜めにカットした形状１０に加工する点も実施の形態１と同様である。本実施の形態２においては、当該ソースＣＯＦ６について、パネル端部１ａに近い側の辺６ａの反対側にある対辺６ｂ、言い換えれば、辺６ａよりも表示パネル１の端部１ａから遠い方に配置される対辺６ｂにおいても斜めにカットした形状１３に加工されていることを特徴としている。
【００２７】
ここで、斜めにカットした形状１３において斜めにカットした方向とは、斜めにカットした形状１０において斜めにカットした方向と同じく、表示パネル１の端部１ａから遠ざかる方向である。言い換えれば、斜めにカットした形状１０はソースＣＯＦ６の幅を狭めるような方向であり、その一方、斜めにカットした形状１３はソースＣＯＦ６の幅を広げるような方向である。
【００２８】
本実施の形態２におけるソースＣＯＦ６では、パネル端部１ａに近い側の辺６ａは、表示制御基板５の端辺５ａよりもｄ２で示した長さだけ表示パネル１の端部１ａに近いことがわかる。すなわち、表示制御基板５の幅を少なくともｄ２の長さ分だけ短くすることができる。ここで、図２からもわかるように、ソースＣＯＦ６の入力端子１２がある側には出力端子１１側よりも幅は狭くてもいいものの、ある程度の幅は必要である。実施の形態２においては、端部のソースＣＯＦ６において表示パネル１の端部１ａから遠ざかる側に配置される対辺６ｂにおいても、表示パネル１の端部から遠ざかるように斜めにカットした形状１３としており、これによりｄ２をｄ１よりもさらに長くしても入力端子１２側の幅は確保できることになる。つまり、実施の形態１で示す形態に比べて、入力端子１２の位置を端部１ａからより遠ざけることができる。
【００２９】
従って、上記のようなソースＣＯＦ６を、表示パネル１の両端の少なくとも一方に使用することで、表示制御基板５のサイズを実施の形態１よりもさらに小さくすることができ、軽量化とコストダウンにつながる。そうすることで、入力端子部がより表示パネル１の中央側に近づき、ひいては表示制御基板のサイズ（幅）をより小さくすることができ、より軽量化とコストダウンにつながる。なお、本実施の形態２においても、使用するＣＯＦの種類が1種類増えるだけで、実装プロセスや部材管理上は困難なことではない点は実施の形態１と同様である。
【００３０】
実施の形態３．
実施の形態１や実施の形態２では、表示パネル１の１辺に沿って複数実装したソースＣＯＦのうち、両端のどちらか一方のＣＯＦにのみ本発明を適用した形態について説明をした。本実施の形態３では、両端のＣＯＦにそれぞれに適合したＣＯＦを使用することを特徴とする。
【００３１】
図４に、実施の形態１で示した第１のテープ部材であるソースＣＯＦを表示パネル１の１辺の両端ともに適用した形態を示す。なお、実施の形態２で示したソースＣＯＦを両端に適用してもよいし、一方の端部に実施の形態１に係るＣＯＦを適用し、他方の端部に実施の形態２に係るソースＣＯＦを適用してもよい。両端に使用することで、さらに表示制御基板のサイズを小さくすることができ、より軽量化とコストダウンにつながる。
【００３２】
実施の形態４．
表示パネルの少なくとも１辺に沿って実装するソースＣＯＦ６が３つ以上ある場合、表示パネル１の両端以外のＣＯＦについて、両端のソースＣＯＦのどちらか一方のソースＣＯＦと同じものを使用する。図５に本実施の形態４に係る表示装置を示す。
【００３３】
図５において、表示パネル１と表示制御基板５とがソースＣＯＦ６を介して接続している点や、表示パネル１の１辺に沿った複数のソースＣＯＦ６のうち両端に配置する第１のテープ部材であるソースＣＯＦ６について表示パネル１の端部１ａに近い側の辺６ａに斜めにカットした形状１０の加工がなされている点は、実施の形態３と同様である。本実施の形態４においては、表示パネル１の両端にある第１のテープ部材であるソースＣＯＦ６以外の第２のテープ部材であるソースＣＯＦにおける辺６ｃにも斜めにカットされた形状１４が加工されている。すなわち、表示パネル１の両端にある第１のテープ部材であるソースＣＯＦ以外の、第２のテープ部材であるソースＣＯＦの中に、表示パネル１の両端にある第１のテープ部材であるソースＣＯＦと形状が同じＣＯＦを使用しているものがある。
【００３４】
そうすることで、使用するソースＣＯＦの種類が２種類のみとなり、３種類以上使用する場合に比べて、実装プロセスや部材管理が容易となる。ひいては製品のコストダウンにつながる。
【００３５】
なお、図５においてはソースＣＯＦの総数が３個の場合について示したが、４個以上であってもよく、その場合は表示パネル１の両端のソースＣＯＦ以外のソースＣＯＦの形状は、当該両端のソースＣＯＦのいずれか一方と同一である。これにより部材の管理が容易となる。
【００３６】
実施の形態５．
実施の形態１〜４において、表示パネル１の少なくとも１辺に沿って複数実装するソースＣＯＦ６の出力端子１１はすべて表示パネル１の該１辺が延在する方向と平行な方向に沿っていた。さらに、出力端子１１と入力端子１２とは互いに対向する辺に形成されているので、ソースＣＯＦ６において表示制御基板５と接続する入力端子１２が形成される側も、表示パネル１の該１辺が延在する方向と平行な方向であった。つまり、表示制御基板５において入力端子１２を介してソースＣＯＦ６と接続する領域も、表示パネル１の該１辺が延在する方向と平行な方向な辺に沿っていた。本実施の形態５では、表示制御基板５において入力端子１２を介してソースＣＯＦ６と接続する領域が、表示パネル１の当該１辺が延在する方向とは異なる方向に沿っているという相違点がある。
【００３７】
本実施の形態５に係る表示装置を図６に示す。図６において、表示パネル１の少なくとも１辺に沿って複数のソースＣＯＦ６が実装されている。当該１辺の両端のうちどちらか一方に設けられた第１のテープ部材であるソースＣＯＦ６において、入力端子１２を形成する領域は、出力端子１１の形成されている辺と対向する辺ではなく、表示パネル１の端部１ａよりも当該１辺の中央の方に近い側の辺６ｄに設けている。言い換えれば、複数実装したソースＣＯＦ６のうち、表示パネル１の１辺に沿った方向での両端のうちどちらか一方に配置された第１のテープ部材であるソースＣＯＦ６における入力端子１２は、表示制御基板５において表示パネル１の当該１辺が延在する方向とは異なる向きの辺６ｄと接続する。なお、図６において辺６ｄは、表示パネル１の端部１ａに近い側の辺６ａと対向する位置となっている。
【００３８】
上記のようなソースＣＯＦを、表示パネル１の１辺の両端のどちらか１つにのみ使用することで、表示制御基板のサイズを小さくすることができ、軽量化とコストダウンにつながる。また、出力端子１１がある側のソースＣＯＦ６の幅が広いと、表示パネル１上の端子から延在し各画素を駆動するための配線のレイアウトを、狭額縁でできることになり、ひいてはパネル外形が小さくなる。これも表示装置の軽量化とコストダウンにつながる。
【００３９】
さらに、実施の形態１〜４と同様に、表示パネル１の１辺に沿って複数設けられているソースＣＯＦ６のうち、その１辺の端部にあって表示パネル１の端１ａに近い側の辺６ａは、表示制御基板５の端部の辺５ａよりも表示パネル１の端部に近いことがわかる。すなわち、実施の形態１〜４と同様に、表示制御基板５の長さを短くすることができる。
【００４０】
なお、使用するソースＣＯＦの種類が1種類増えるだけで、実装プロセスや部材管理上、困難なことではない。表示制御基板５が接続されていない側（本実施の形態ではゲート側に相当）はＣＯＦ実装でもＣＯＧ実装でもどちらでも良い。
【００４１】
実施の形態６．
実施の形態５では、１辺に沿って複数実装したソースＣＯＦのうち、入力端子１２を表示パネル１の当該１辺の中央に近い側の辺６ｄに設けた形態を両端のどちらか一方のＣＯＦのみに適用した。本実施の形態６では、両端のソースＣＯＦにそれぞれに適合したソースＣＯＦを使用する。この形態を図７に示す。図７では、表示制御基板５の両端の辺５ａ、５ｂともに、ソースＣＯＦ６が入力端子１２を介して表示制御基板５と接続している。
【００４２】
本実施の形態６においては、表示パネル１の１辺の両端の一方にしか適用しなかった実施の形態５と異なり、両端ともに適用しているため、さらに表示制御基板のサイズ（幅）を小さくすることができ、表示装置の軽量化とコストダウンにつながる。
【００４３】
本実施の形態については液晶表示装置に用いる表示パネルの実装について説明したが、エレクトロルミネセンス等の表示装置にも適用することができる。
【００４４】
また、本実施の形態の説明ではテープ部材としてＣＯＦを例に挙げたが、ドライバＩＣが固定されたテープ部材を介している他の形態においても適用できるものであり、例えばＴＣＰにも適用されるものである。なお、本明細書において単にテープ部材と記載する場合、位置を特定するための称呼である第１のテープ部材と第２のテープ部材とを区別せず、総称として用いることがあり、テープ部材としてＴＣＰを適用する場合は、第１のテープ部材にも第２のテープ部材にもＴＣＰを適用することを指す。しかし、ＴＣＰとＣＯＦとを混在させた形態を適用してもかまわない。
【符号の説明】
【００４５】
１  表示パネル、２  表示領域、３  額縁領域
４  ドライバＩＣ
５  表示制御基板、５ａ  表示制御基板の端辺
６  ソースＣＯＦ、６ａ  １辺の端に近い側の辺、６ｂ  表示パネルの端から遠い方に配置される対辺、６ｃ  第２のテープ部材であるソースＣＯＦにおける辺、６ｄ  パネル中央の方に近い側の辺
１０  ＣＯＦの斜めカット部
１１  出力端子
１２  入力端子
１３、１４  ＣＯＦの斜めカット部
【図１】
2014215464.tif 000003
【図２】
2014215464.tif 000004
【図３】
2014215464.tif 000005
【図４】
2014215464.tif 000006
【図５】
2014215464.tif 000007
【図６】
2014215464.tif 000008
【図７】
2014215464.tif 000009
【図８】
2014215464.tif 000010